(57)【要約】【課題】身体や衣類に装着容易な磁気治療シートを提供すること。【解決手段】シート材１に磁性体層２と、遠赤外線を放射する機能を備えた結合材とを形成し、前記シート材１を身体の一部に装着容易とするために、係止手段２１を形成した。前記係止手段２１によって、身体の一部に装着が容易となる。また、肌着等の内側に係止させて装着が容易となる。また、前記磁性体は、鋳造磁石（金属系磁石）、フェライト磁石（酸化物系磁石）、もしくは希土類磁石（希土類系磁石） の少なくとも何れかを含んでいる。【選択図】 図２
0003170251.tif 000002
【実用新案登録請求の範囲】
【請求項１】
伸縮性と可撓性とを備えたシート材の一面に磁性体層が形成されてなる磁気治療シートにおいて、
前記磁性体層は、鋳造磁石（金属系磁石）、フェライト磁石（酸化物系磁石）、もしくは希土類磁石（希土類系磁石） の少なくとも何れかを含んでいる磁性体と、結合材とが混合されてなることを特徴とする磁気治療シート。
【請求項２】
前記結合材には、赤外線放射材もしくは遠赤外線放射材を含有してなることを特徴とする請求項１に記載の磁気治療シート。
【請求項３】
前記シート材の他面もしくは磁性体層の表面の何れか一面には、身体の一部もしくは衣服の一部に係止可能な係止手段が形成されていることを特徴とする請求項１乃至２の何れか１項に記載の磁気治療シート。
【請求項４】
前記係止手段は、粘着剤層で構成されていることを特徴とする請求項３に記載の磁気治療シート。
【請求項５】
前記係止手段は、面ファスナーで構成されていることを特徴とする請求項３に記載の磁気治療シート。
【請求項６】
前記磁性体は、粉末磁性体としたことを特徴とする請求項１乃至５の何れか１項に記載の磁気治療シート。
【請求項７】
前記磁性体は、複数の粒状の永久磁石としたことを特徴とする請求項１乃至５の何れか１項に記載の磁気治療シート。
【請求項８】
前記結合材には、薬効成分を含有してなることを特徴とする請求項１乃至７の何れか１項に記載の磁気治療シート。
【請求項９】
前記シート材は、人体の一部に巻回可能なバンド状に形成されていることを特徴とする請求項１乃至８の何れか１項に記載の磁気治療シート。
【考案の詳細な説明】
【技術分野】
【０００１】
本考案は、腰痛・肩凝り等の神経痛や筋肉痛の鎮痛と消炎等を目的として用いる磁気治療シートの製造方法に関するものである。
【背景技術】
【０００２】
従来から知られている治療シートとしては、伸縮性のある布地の片面に、鎮痛消炎効果を有する薬剤を有効量混入して粘着性物質を塗布したものが一般的であり、このような湿布剤は粘着性物質の塗布面を患部に当てて、そのまま使用したり、粘着テープを用いて貼りつけたりして使用されている。
【０００３】
また、磁力線が、腰痛や肩凝り等に対する効果が得られることが、従来より知られており、例えば、直径５ｍｍ・厚さ２ｍｍ程度の円板状の磁石を患部に粘着テープを用いて貼付するタイプの磁気治療器も知られている。しかし、これは磁性体を布地等のベースに担架する手段として、粘着性物質に混入するという手段を講じたので、粘着部分と磁気効果のある部分とが必ず一致するため、特定の部位に磁気効果を及ぼそうという場合に適さないという問題や、磁性体が粘着性物質の中に混在するので、磁気が分散し、有効な磁気による治療効果が得られにくいという問題等があった。
【０００４】
そこで、薬剤による湿布の効果と磁気治療器による効果の双方の効果を併せ持ち、広い部位に磁気効果を及ぼすことのできるように、粉末磁性体による磁性体層を備えた磁気治療シートを実願平３−９５１５２，実願平３−９５１５３，特願平５−４１０１１，特願平６−２５３６６１の出願において提案した。また、特願平５−４１０１１においては、磁性体層を形成する方法として、磁性体粉末を印刷や塗布によって形成する製造方法を提案した。（例えば、特許文献１参照）
【先行技術文献】
【特許文献】
【０００５】
【特許文献１】特開平３−９５１５２号公報
【考案の概要】
【考案が解決しようとする課題】
【０００６】
本考案は、優れた磁気治療効果が得られるとともに、身体への装着が容易な磁気治療シートを提供することを課題として考案されたものである。
【課題を解決するための手段】
【０００７】
請求項１の考案では、
伸縮性と可撓性とを備えたシート材の一面に磁性体層が形成されてなる磁気治療シートにおいて、
前記磁性体層は、鋳造磁石（金属系磁石）、フェライト磁石（酸化物系磁石）、もしくは希土類磁石（希土類系磁石） の少なくとも何れかを含んでいる磁性体と、結合材とが混合されてなる構成とした。
【０００８】
なお、鋳造磁石（金属系磁石）は、鋳造磁石とは、鉄を基とする合金を熱処理することにより得られる磁石で、アルニコ磁石とＦｅ−Ｃｒ−Ｃｏ磁石とがある。他に、バイカロイ，Ｃｕ−Ｎｉ−Ｆｅ，Ｃｕ−Ｎｉ−Ｃｏ，Ｐｔ−Ｃｏ磁石などがあるが、これらはほとんど生産されていない。
アルニコ磁石は、ＭＫ鋼（１９３３年）や新ＫＳ鋼（１９３４年）といった日本人が開発した磁石を基に開発された。１９４０年のアルニコ５により爆発的に利用されるようになり、１０ＭＧＯｅまで高性能化されている。組成はＦｅ−Ａｌ−Ｎｉ−Ｃｏ（−Ｃｕ−Ｔｉ）である。しかし、１９８０年を境に生産量は減少している。
Ｆｅ−Ｃｒ−Ｃｏ磁石は、熱間・冷間加工ができることが特徴で、１９７１年に開発された。
【０００９】
また、フェライト磁石（酸化物系磁石）とは、フェリ磁性を利用した酸化物磁石である。その起源は、１９３３年に日本で開発されたＯＰ磁石である。磁気特性は低いものの安価なためコストパフォーマンスに優れ、様々な応用分野に幅広く用いられている。組成で分類するとＢａフェライト磁石とＳｒフェライト磁石が、製法で分類すると焼結磁石とボンド磁石がある。
現在、磁石材料として用いられているのは、Ｂａフェライト（ＢａＯ・６Ｆｅ2Ｏ3）またはＳｒフェライト（ＳｒＯ・６Ｆｅ2Ｏ3）である。
仮焼成して得られた六方晶フェライトを１μｍ以下の微分末とし、プレス成形の後焼結して得られる。磁気特性は〜５ＭＧＯｅ。
一方、微粉末を樹脂やゴムで結合したボンド磁石がある。磁気特性は２ＭＧＯｅ以下と低いが、リング形状などが容易に得られる。
【００１０】
また、希土類磁石（希土類系磁石）は、希土類金属と遷移金属からなる金属間化合物を利用した高性能な永久磁石である。
磁気特性が最も高いが高価なことから、高性能化や小型化を求める分野を中心に応用分野を広げている。組成で分類するとＳｍ−Ｃｏ磁石や、強磁性窒化鉄を用いた磁石や、Ｎｄ−Ｆｅ−Ｂ磁石などがあり、製法で分類すると焼結磁石とボンド磁石などがある。
Ｓｍ−Ｃｏ系には、ＳｍＣｏ5系とＳｍ2Ｃｏ17系の二種類があり、３０ＭＧＯｅの高い磁気特性が特徴となっている。
【００１１】
請求項２では、前記結合材には、赤外線放射材もしくは遠赤外線放射材を含有している。
請求項３では、前記シート材の他面もしくは磁性体層の表面の何れか一面には、身体の一部もしくは衣服の一部に係止可能な係止手段が形成されている。
請求項４では、前記係止手段は、粘着剤層で構成されている。
請求項５では、前記係止手段は、面ファスナーで構成されている。
請求項６では、前記磁性体は、粉末磁性体とした。
請求項７では、前記磁性体は、複数の粒状の永久磁石とした。
請求項８では、前記結合材には、薬効成分を含有している。
請求項９では、前記シート材は、人体の一部に巻回可能なバンド状に形成されている。
【考案の効果】
【００１２】
本考案の磁気治療シートでは、磁性体層は、磁性体と結合材とが混合され、前記磁性体は、鋳造磁石（金属系磁石）、フェライト磁石（酸化物系磁石）、もしくは希土類磁石（希土類系磁石） の少なくとも何れかを含んでいるので、磁性体は結合材によってシート材に結合された状態で保持される。そして、磁性体による磁気治療作用が得られる。
また、粉末磁性体が酸化する可能性がある場合には、結合材に酸化防止剤（防錆剤等）を混入するとよい。なお、粉末磁性体が酸化する可能性がない場合には、当然結合材に酸化防止剤（防錆剤等）を混入する必要はない。
【００１３】
また、前記シート材は、可撓性と伸縮性を備えたシート材としたので、関節等のように動く部分や伸縮する部分に装着できる。
また、前記結合材には、赤外線もしくは遠赤外線放射材を含有することによって、磁性体層による磁気治療効果と、赤外線もしくは遠赤外線による温熱効果の両方が得られる。
また、前記シート材の外側面には、衣服に係止可能な係止手段が形成されているので、外側面を身体の一部や肌着の一部等に係止させて、磁性体面を身体側に向けて装着できる。
また、前記係止手段は、粘着剤層や、面ファスナーで構成されているので上記作用効果が得られる。
また、前記磁性体は、粉末磁性体としたので、可撓性を得やすい。
また、前記磁性体は、複数の粒状の永久磁石としたので、強い磁気を得ることができる。
また、前記結合材には、薬効成分を含有することによって種々の薬効が得られる。
また、前記シート材は、人体の一部に巻回可能なバンド状に形成することによって、腕や脚に装着することができる。
【００１４】
このようにして、本考案の磁気治療シートによれば、磁気治療効果の得られる磁気治療シートを得ることができる。特に、衣服や身体の一部に係止して効果的に使用することができる。
【図面の簡単な説明】
【００１５】
【図１】本考案にかかる磁気治療シートの実施の形態の構成を示した構成図である。
【図２】別の実施形態の構成図である。
【図３】別の実施形態の側面断面図である。
【考案を実施するための形態】
【００１６】
以下に本考案を実施するための形態を、実施例を示した図面を参照して説明する。
【実施例１】
【００１７】
以下に、本考案の磁気治療シートを、その実施例の断面図に基づいて詳細に説明する。
図１は上記磁気治療シート１０の断面図である。図において、１はベースとなるシート材であり伸縮性のある布地で構成されている。２は磁性体層、３は粘着性物質層、４はポリエチレンシート、５１は粉末磁性体、５２は結合材である。
【００１８】
シート材１としては伸縮性のある不織布が適しているが、それに限らず種々のシート材が使用できる。磁性体層２としては、Ｓｍ2 Ｃｏ17合金を酸化防止剤と接着物質と混合したバインダーと混ぜたものを、プリント印刷によって前記布地１に付着させたものが好ましい。酸化防止剤としては、シリコン等のようにコバルト等の金属の酸化を防止するものであれば何でもよい。例えば、硫化テルペン，硫化アルキルフェノールおよびそのカルシウム塩等のイオウ化合物、もしくは、亜リン酸トリブチル，亜リン酸トリフェニル等のリン化合物、もしくは、ジチオリン酸塩等のイオウ−リン化合物、もしくは、ピネン，ポリブテン，セレン化ジアルキル，フェノチアジン等の金属不活性化剤の何れかを適宜選択して使用することが可能である。
なお、酸化する可能性が無い場合には酸化防止材は不要である。
【００１９】
粘着性物質層３としては、天然ゴムや酸化亜鉛を含む粘着性樹脂等の粘着性物質だけでもよいが、ポリアクリル酸ナトリウム，ソルビトール，プロピレングリコール，ゼラチン等を含んだ薬剤や、ｌ−メントール０．５ ｇ、ｄｌ−カンフル１．０ｇ 、およびハッカ油０．５ ｇ を有効成分として含有する鎮痛消炎効果をもつ薬剤を混入した粘着性物質を用いてもよい。また、前記磁性体層２と混合してもよい。
【００２０】
結合材５２には、イオンを発生させるためのゲルマニウムを含ませてもよい。また、遠赤外線を放射するためのセラミックを含ませてもよい。前記ポリエチレンシート４によって前記薬剤が混入された粘着性物質層３の乾燥を防止する。
【００２１】
なお、前記構造の磁性体層２をプリント印刷によって形成する方法においては、プリント印刷のインクの代わりに、磁性体粉末を接着物質と混合したものを用いて、通常のプリント印刷工程で印刷するのである。
そして、上記構成の磁気治療シート１０を得た後に、強い磁界を加えて前記磁性体層２を、適切な強度（例えば、３０μＴ（０．１Ｇ））程度）以上に着磁するのである。
【００２２】
以上のようにして製造した磁気治療シート１０を使用するときは、適当な大きさ形状に裁断等して、ポリエチレンシート４を剥がして、患部に貼付すると、粘着性物質層３によって患部に貼り付いて離れない。そして、適切な強度（例えば、３０μＴ程度）以上の磁力を備えた磁性体層２によって形成される磁場と粘着性物質層３に含まれる鎮痛消炎効果をもつ薬剤とが、皮下の組織に作用して患部の鎮痛および消炎の相乗的な効果が得られるのである。このよう、遠赤外線と磁力の照射を同時に行うことで、肩や腰などの不快感を和らげることに役立つことが期待できる。
また、皮下組織に作用する遠赤外線は、深部まで浸透し、体内からの遠赤外線と共振作用を起こし、その組織に温熱作用をもたらすことが期待できる。また、磁性体層による磁力も体内のイオンバランスが崩れることで起こる様々な不快感を元の状態に戻す作用が期待できる。
【００２３】
シート材１として伸縮性の高い素材を用いることにより、関節等の部位に貼付しても剥がれにくい。特に、磁性体層２のコバルト粉末は酸化防止剤によって酸化が防止されているので、長時間に渡って酸化して錆びることなく所期の磁場が得られるという持続的な効果が得られる。
【００２４】
なお、図２に示したように、粘着性物質層を形成しないで、シート材１の外側面に面ファスナー等による係止手段２１を形成したものでもよい。この場合の磁気治療シート２０は、肌着等の衣類の内側に係止させて使用することができる。
また、粘着性物質層も、係止手段も形成せずに、シート材を構成すれば、衣類等の素材として応用範囲が広がる。
従って、パンツや肌着の一部に本考案の磁気治療シートを使用するとよい。
【００２５】
また、図３に示したように、人体の一部に巻回可能なバンド状の磁気治療シート３０としてもよい。この磁気治療シート３０の場合には、内側に磁性体層３１が形成されている。
この磁気治療シート３０は環状でもよいが、開いて取り外したり、巻いて装着したりできるように着脱構造を備えても良い。
【００２６】
なお、前記磁性体層２には粘着性物質を含んでいてもよく、更には薬効成分を含んでいてもよい。薬剤を含有していなくても、磁性体層６によって磁気効果は得られるのである。その他、布地の両面に磁性体層と粘着性物質層を形成してもよい。また、前記磁性体層を形成するときには、プリント印刷に限らず、吹きつけて付着形成してもよく、塗布して形成してもよい。
【符号の説明】
【００２７】
１０ 磁気治療シート
２０ 磁気治療シート
３０ 磁気治療シート
１ シート材
２ 磁性体層
３ 粘着性物質層
４ ポリエチレンシート
５ 結合材
【図１】
0003170251.tif 000003
【図２】
0003170251.tif 000004
【図３】
0003170251.tif 000005